(57)【要約】【課題】レイアウト情報を更新する際のユーザの負担を軽減できるレイアウト情報管理装置、レイアウト情報管理システム、端末装置、レイアウト情報管理方法およびプログラムを提供する。【解決手段】選択部１１１が、１つの部屋識別情報を選択し、特定部１１２が、選択部１１１により部屋識別情報が選択された状態で、ネットワークＮＴを介した通信状態が変化した電気機器を特定する。更新部１１３は、通信不可能な状態から通信可能な状態へ変化した電気機器の機器情報を、選択された部屋識別情報に対応づけてレイアウト情報記憶部１３１に記憶させるとともに、選択された部屋識別情報に対応づけられた機器情報のうち、通信可能な状態から通信不可能な状態へ変化した機器の機器情報をレイアウト情報記憶部１３１から削除する形でレイアウト情報記憶部１３１が記憶する機器情報を更新する。【選択図】図２
2020198527.tif 000002
【特許請求の範囲】
【請求項１】
少なくとも１つの部屋で構成される建物内に配置されネットワークに接続された機器の、前記建物内における位置を示すレイアウト情報を管理するレイアウト情報管理装置であって、
前記機器に固有の機器情報を、前記機器が配置された部屋の部屋識別情報に対応づけて記憶するレイアウト情報記憶部と、
前記レイアウト情報記憶部が記憶する部屋識別情報の中から少なくとも１つの部屋識別情報を選択する選択部と、
前記選択部により前記少なくとも１つの部屋識別情報が選択された状態で、ネットワークを介した通信状態が変化した機器を特定する特定部と、
前記特定部により特定された、通信不可能な状態から通信可能な状態へ変化した機器の機器情報を、前記選択部により選択された前記少なくとも１つの部屋識別情報に対応づけて前記レイアウト情報記憶部に記憶させるとともに、前記選択部により選択された前記少なくとも１つの部屋識別情報に対応づけられた機器情報のうち、前記特定部により特定された、通信可能な状態から通信不可能な状態へ変化した機器の機器情報を前記レイアウト情報記憶部から削除する形で前記レイアウト情報記憶部が記憶する機器情報を更新する更新部と、を備える、
レイアウト情報管理装置。
【請求項２】
前記特定部は、前記選択部により前記少なくとも１つの部屋識別情報が選択された状態で、前記ネットワークを介して接続要求情報を送信する機器を、通信不可能な状態から通信可能な状態へ変化した機器として特定し、
前記更新部は、前記特定部により特定された機器から機器情報を取得し、取得した機器情報を、前記選択部により選択された前記少なくとも１つの部屋識別情報に対応づけて前記レイアウト情報記憶部に記憶させる、
請求項１に記載のレイアウト情報管理装置。
【請求項３】
前記特定部は、前記選択部により前記少なくとも１つの部屋識別情報が選択された状態で、前記少なくとも１つの部屋識別情報に対応づけられた機器情報を有する機器のうち、前記ネットワークに接続されているか否かを問い合わせるための応答要求情報を送信したときに、対応する応答情報を送信しない前記応答要求情報の送信先の機器を、通信可能な状態から通信不可能な状態へ変化した機器として特定し、
前記更新部は、前記特定部により特定された機器の機器情報を、前記レイアウト情報記憶部から削除する、
請求項１または２に記載のレイアウト情報管理装置。
【請求項４】
前記選択部により選択された前記少なくとも１つの部屋識別情報に対応付けられた機器を、前記ネットワークに接続する操作を行うようユーザに指示するための接続指示情報、または、前記選択部により選択された前記少なくとも１つの部屋識別情報に対応付けられた機器を、前記ネットワークから切断する操作を行うようユーザに指示するための切断指示情報を生成する指示情報生成部を更に備える、
請求項１から３のいずれか１項に記載のレイアウト情報管理装置。
【請求項５】
少なくとも１つの部屋で構成される建物内に配置されネットワークに接続された機器の、前記建物内における位置を示すレイアウト情報を管理するレイアウト情報管理システムであって、
前記機器に固有の機器情報を、前記機器が配置された部屋の部屋識別情報に対応づけて記憶するレイアウト情報記憶部と、
前記レイアウト情報記憶部が記憶する部屋識別情報の中から少なくとも１つの部屋識別情報を選択する選択部と、
前記選択部により前記少なくとも１つの部屋識別情報が選択された状態で、ネットワークを介した通信状態が変化した機器を特定する特定部と、
前記特定部により特定された、通信不可能な状態から通信可能な状態へ変化した機器の機器情報を、前記選択部により選択された前記少なくとも１つの部屋識別情報に対応づけて前記レイアウト情報記憶部に記憶させるとともに、前記選択部により選択された前記少なくとも１つの部屋識別情報に対応づけられた機器情報のうち、前記特定部により特定された、通信可能な状態から通信不可能な状態へ変化した機器の機器情報を前記レイアウト情報記憶部から削除する形で前記レイアウト情報記憶部が記憶する機器情報を更新する更新部と、を備える、
レイアウト情報管理システム。
【請求項６】
前記選択部により選択された前記少なくとも１つの部屋識別情報に対応付けられた機器を、前記ネットワークに接続する操作を行うようユーザに指示するための接続指示情報、または、前記選択部により選択された前記少なくとも１つの部屋識別情報に対応付けられた機器を、前記ネットワークから切断する操作を行うようユーザに指示するための切断指示情報を生成する指示情報生成部と、
前記指示情報生成部により前記接続指示情報が生成されると、前記選択部により選択された前記少なくとも１つの部屋識別情報に対応付けられた機器を、前記ネットワークに接続する操作を行うようユーザに促す第１メッセージ情報を前記ユーザに通知し、前記指示情報生成部により前記切断指示情報が生成されると、前記選択部により選択された前記少なくとも１つの部屋識別情報に対応付けられた機器を、前記ネットワークから切断する操作を行うようユーザに促す第２メッセージ情報を前記ユーザに通知するメッセージ通知部と、を更に備える、
請求項５に記載のレイアウト情報管理システム。
【請求項７】
表示部と、
前記建物内における前記部屋の配置を示す間取り情報を記憶する間取り情報記憶部と、
前記機器のマーク画像を示すマーク画像情報を、前記機器情報に対応づけて記憶するマーク画像記憶部と、
前記間取り情報記憶部から前記間取り情報を取得し、取得した間取り情報に基づいて、前記建物内の間取りを表す間取り画像を含む操作画面画像を生成する操作画面生成部と、
前記レイアウト情報記憶部から前記機器情報および前記部屋識別情報を取得するとともに、前記部屋識別情報および前記機器情報に基づいて、前記マーク画像記憶部から前記間取り画像における各部屋に対応する位置に表示されるべきマーク画像を特定し、前記特定したマーク画像を、前記操作画面画像に含まれる間取り画像における前記各部屋に対応する位置に合成して前記表示部に表示させる表示制御部と、を更に備える、
請求項５または６に記載のレイアウト情報管理システム。
【請求項８】
少なくとも１つの部屋で構成される建物内における、前記建物内に配置されネットワークに接続された機器の位置を示す間取り画像を表示する端末装置であって、
表示部と、
前記建物内における前記部屋の配置を示す間取り情報を記憶する間取り情報記憶部と、
前記機器のマーク画像を示すマーク画像情報を、前記機器に固有の機器情報に対応づけて記憶するマーク画像記憶部と、
前記間取り情報記憶部から間取り情報を取得し、取得した間取り情報に基づいて、間取り画像を含む操作画面画像を生成する操作画面生成部と、
前記機器の機器情報を前記機器が配置された部屋の部屋識別情報に対応づけて記憶するレイアウト情報記憶部から前記機器情報および前記部屋識別情報を取得するとともに、前記部屋識別情報および前記機器情報に基づいて、前記マーク画像記憶部から前記間取り画像における各部屋に対応する位置に表示されるべきマーク画像を特定し、前記特定したマーク画像を、前記操作画面画像に含まれる間取り画像における前記各部屋に対応する位置に合成して前記表示部に表示させる表示制御部と、を備える、
端末装置。
【請求項９】
少なくとも１つの部屋で構成される建物内に配置されネットワークに接続された機器の、前記建物内における位置を示すレイアウト情報を管理するレイアウト情報管理方法であって、
前記機器に固有の機器情報を、前記機器が配置された部屋の部屋識別情報に対応づけてレイアウト情報記憶部に記憶させるステップと、
前記レイアウト情報記憶部が記憶する部屋識別情報の中から少なくとも１つの部屋識別情報を選択するステップと、
前記少なくとも１つの部屋識別情報が選択された状態で、前記ネットワークを介した通信状態が変化した機器を特定するステップと、
特定された、通信不可能な状態から通信可能な状態へ変化した機器の機器情報を、選択された前記少なくとも１つの部屋識別情報に対応づけて前記レイアウト情報記憶部に記憶させる形で前記レイアウト情報記憶部が記憶する機器情報を更新するステップと、
選択された前記少なくとも１つの部屋識別情報に対応づけられた機器情報のうち、特定された、通信可能な状態から通信不可能な状態へ変化した機器の機器情報を前記レイアウト情報記憶部から削除する形で前記レイアウト情報記憶部が記憶する機器情報を更新するステップと、を備える、
レイアウト情報管理方法。
【請求項１０】
コンピュータを、
少なくとも１つの部屋で構成される建物内に配置されネットワークに接続された機器に固有の機器情報を、前記機器が配置された部屋の部屋識別情報に対応づけて記憶するレイアウト情報記憶部、
前記レイアウト情報記憶部が記憶する部屋識別情報の中から少なくとも１つの部屋識別情報を選択する選択部、
前記選択部により前記少なくとも１つの部屋識別情報が選択された状態で、前記ネットワークを介した通信状態が変化した機器を特定する特定部、
前記特定部により特定された、通信不可能な状態から通信可能な状態へ変化した機器の機器情報を、前記選択部により選択された前記少なくとも１つの部屋識別情報に対応づけて前記レイアウト情報記憶部に記憶させるとともに、前記選択部により選択された前記少なくとも１つの部屋識別情報に対応づけられた機器情報のうち、前記特定部により特定された、通信可能な状態から通信不可能な状態へ変化した機器の機器情報を前記レイアウト情報記憶部から削除する形で前記レイアウト情報記憶部が記憶する機器情報を更新する更新部、
として機能させるためのプログラム。
【発明の詳細な説明】
【技術分野】
【０００１】
本発明は、レイアウト情報管理装置、レイアウト情報管理システム、端末装置、レイアウト情報管理方法およびプログラムに関する。
【背景技術】
【０００２】
住居内のネットワークに接続されたエアコン、照明機器、テレビ、炊飯器、ＩＨ調理器、除湿機等の各電気機器がネットワークに接続されたについて、住居の部屋割りと各部屋に配置された電気機器の構成とをユーザに直観的に認識させるためのレイアウト情報を生成するレイアウト生成システムが提案されている（例えば特許文献１参照）。
【０００３】
このレイアウト生成システムでは、ユーザにより住居の部屋割りを示す間取り情報が端末装置へ入力されると、端末装置が入力された間取り情報に基づいてその表示画面に住居内の部屋割りを示す複数の枠画像を含む間取り図画像を表示する。また、端末装置は、ネットワークに接続された電気機器の機器情報を、ネットワークを介して取得し、取得した機器情報に基づいて、ネットワークに接続された電気機器を示すマーク画像をその表示画面に表示する。そして、ユーザが、表示画面に表示された住居内の部屋割りを示す画面を見ながら、各電気機器のマーク画像を間取り図画像上における各電気機器が配置される部屋に対応する枠画像内へ配置する操作を行うことにより、レイアウト情報が生成される。
【先行技術文献】
【特許文献】
【０００４】
【特許文献１】特許第５４７４２３８号公報
【発明の概要】
【発明が解決しようとする課題】
【０００５】
しかしながら、特許文献１に記載されたレイアウト生成システムでは、ネットワークに接続された電気機器それぞれについて、ユーザが住戸内における配置を自ら確認した後、各電気機器のマーク画像を選択して間取り図画像上に配置するため、例えば、同一種別の電気機器が異なる部屋に配置される場合、対応するマーク画像が同じであるため、ユーザが異なる部屋それぞれに配置される電気機器に対応するマーク画像を誤って選択してしまう虞がある。このため、ユーザは、異なる部屋それぞれに配置された同一種別の電気機器とマーク画像との対応関係を把握しておく必要があり、ユーザにおけるレイアウト情報を管理する負担が増大してしまう。
【０００６】
本発明は、上記事由に鑑みてなされたものであり、レイアウト情報を更新する際のユーザの負担を軽減できるレイアウト情報管理装置、レイアウト情報管理システム、端末装置、レイアウト情報管理方法およびプログラムを提供することを目的とする。
【課題を解決するための手段】
【０００７】
上記目的を達成するために、本発明に係るレイアウト情報管理装置は、
少なくとも１つの部屋で構成される建物内に配置されネットワークに接続された機器の、前記建物内における位置を示すレイアウト情報を管理するレイアウト情報管理装置であって、
前記機器に固有の機器情報を、前記機器が配置された部屋の部屋識別情報に対応づけて記憶するレイアウト情報記憶部と、
前記レイアウト情報記憶部が記憶する部屋識別情報の中から少なくとも１つの部屋識別情報を選択する選択部と、
前記選択部により前記少なくとも１つの部屋識別情報が選択された状態で、ネットワークを介した通信状態が変化した機器を特定する特定部と、
前記特定部により特定された、通信不可能な状態から通信可能な状態へ変化した機器の機器情報を、前記選択部により選択された前記少なくとも１つの部屋識別情報に対応づけて前記レイアウト情報記憶部に記憶させるとともに、前記選択部により選択された前記少なくとも１つの部屋識別情報に対応づけられた機器情報のうち、前記特定部により特定された、通信可能な状態から通信不可能な状態へ変化した機器の機器情報を前記レイアウト情報記憶部から削除する形で前記レイアウト情報記憶部が記憶する機器情報を更新する更新部と、を備える。
【発明の効果】
【０００８】
本発明によれば、選択部が、レイアウト情報記憶部が記憶する部屋識別情報の中から少なくとも１つの部屋識別情報を選択する。また、特定部が、選択部により少なくとも１つの部屋識別情報が選択された状態で、ネットワークを介した通信状態が変化した機器を特定する。そして、更新部が、特定部により特定された、通信不可能な状態から通信可能な状態へ変化した機器の機器情報を、選択部により選択された少なくとも１つの部屋識別情報に対応づけてレイアウト情報記憶部に記憶させるとともに、選択部により選択された少なくとも１つの部屋識別情報に対応づけられた機器情報のうち、特定部により特定された、通信可能な状態から通信不可能な状態へ変化した機器の機器情報をレイアウト情報記憶部から削除する形でレイアウト情報記憶部が記憶する機器情報を更新する。これにより、建物内におけるレイアウト情報を更新する対象である部屋の部屋識別情報が選択された状態で、ネットワークと機器とを接続したり切断したりする操作を行うだけで、対象である部屋の部屋識別情報に対応づけられたレイアウト情報を更新することができるので、ユーザの負担を軽減できる。
【図面の簡単な説明】
【０００９】
【図１】実施の形態に係るレイアウト情報管理システムの一例を示す概略構成図
【図２】実施の形態に係るレイアウト情報管理装置の構成を示すブロック図
【図３】実施の形態に係るレイアウト情報記憶部が記憶する情報の一例を示す図
【図４】実施の形態に係る間取り情報記憶部が記憶する情報の一例を示す図
【図５】実施の形態に係る端末装置の構成を示すブロック図
【図６】実施の形態に係るマーク画像記憶部が記憶する情報の一例を示す図
【図７】実施の形態に係るレイアウト情報管理システム全体の動作の一例を示すシーケンス図
【図８】（Ａ）は実施の形態に係る端末装置の操作画面の一例を示す図、（Ｂ）は実施の形態に係る端末装置の他の操作画面の一例を示す図
【図９】（Ａ）は実施の形態に係る端末装置の操作画面の一例を示す図、（Ｂ）は実施の形態に係る端末装置の他の操作画面の一例を示す図
【図１０】実施の形態に係る端末装置の操作画面の一例を示す図
【図１１】（Ａ）は実施の形態に係る端末装置の操作画面の一例を示す図、（Ｂ）は実施の形態に係る端末装置の他の操作画面の一例を示す図
【図１２】（Ａ）は実施の形態に係る端末装置の操作画面の一例を示す図、（Ｂ）は実施の形態に係る端末装置の他の操作画面の一例を示す図
【図１３】実施の形態に係るレイアウト情報管理システム全体の動作の一例を示すシーケンス図
【図１４】（Ａ）は実施の形態に係る端末装置の操作画面の一例を示す図、（Ｂ）は実施の形態に係る端末装置の他の操作画面の一例を示す図
【図１５】（Ａ）は実施の形態に係る端末装置の操作画面の一例を示す図、（Ｂ）は実施の形態に係る端末装置の他の操作画面の一例を示す図
【図１６】実施の形態に係る端末装置の操作画面の一例を示す図
【図１７】実施の形態に係るレイアウト情報管理システム全体の動作の一例を示すシーケンス図
【図１８】（Ａ）は実施の形態に係る端末装置の操作画面の一例を示す図、（Ｂ）は実施の形態に係る端末装置の他の操作画面の一例を示す図
【図１９】実施の形態に係る端末装置の操作画面の一例を示す図
【図２０】（Ａ）は実施の形態に係る端末装置の操作画面の一例を示す図、（Ｂ）は実施の形態に係る端末装置の他の操作画面の一例を示す図
【図２１】実施の形態に係るレイアウト情報管理システム全体の動作の一例を示すシーケンス図
【図２２】実施の形態に係るレイアウト情報管理装置が実行するレイアウト情報更新処理の流れの一例を示すフローチャート
【図２３】実施の形態に係るレイアウト情報管理装置が実行するレイアウト情報更新処理の流れの一例を示すフローチャート
【図２４】変形例に係るレイアウト情報管理装置の構成を示すブロック図
【図２５】変形例に係るレイアウト情報管理システム全体の動作の一例を示すシーケンス図
【図２６】変形例に係るレイアウト情報管理装置が実行するレイアウト情報更新処理の流れの一例を示すフローチャート
【発明を実施するための形態】
【００１０】
以下、本発明の実施の形態に係るレイアウト情報管理システムについて、図面を参照しながら説明する。本実施の形態に係るレイアウト情報管理システムは、例えば住居内に配置された各機器の動作を、ネットワークを介して監視したり制御したりするエネルギマネジメントシステムの一機能として実現される。レイアウト情報管理システムは、このようなエネルギマネジメントシステムにおいて要求される各機器の住居内におけるレイアウトを示すレイアウト情報を管理するものである。
【００１１】
本実施の形態に係るレイアウト情報管理システムは、少なくとも１つの部屋で構成される建物内に配置されネットワークに接続された機器の、建物内における位置を示すレイアウト情報を管理するレイアウト情報管理装置である。このレイアウト情報管理システムは、機器に固有の機器情報を、機器が配置された部屋の部屋識別情報に対応づけて記憶するレイアウト情報記憶部と、選択部と、特定部と、レイアウト情報記憶部が記憶するレイアウト情報を更新する更新部と、を備える。選択部は、レイアウト情報記憶部が記憶する部屋識別情報の中から少なくとも１つの部屋識別情報を選択する。特定部は、選択部により少なくとも１つの部屋識別情報が選択された状態で、ネットワークを介した通信状態が変化した機器を特定する。更新部は、特定部により特定された、通信不可能な状態から通信可能な状態へ変化した機器の機器情報を、選択部により選択された前記少なくとも１つの部屋識別情報に対応づけて前記レイアウト情報記憶部に記憶させる。また、更新部は、選択部により選択された少なくとも１つの部屋識別情報に対応づけられた機器情報のうち、特定部により特定された、通信可能な状態から通信不可能な状態へ変化した機器の機器情報をレイアウト情報記憶部から削除する。
【００１２】
本実施の形態に係るレイアウト情報管理システムは、例えば図１に示すように、部屋Ｒ１、Ｒ２、Ｒ３、Ｒ４、Ｒ５に電気機器４（４Ａ、４Ｂ、４Ｃ、４Ｄ、４Ｅ、４Ｆ、４Ｇ、４Ｈ）が配置される住居Ｈに設けられる。このレイアウト情報管理システムは、レイアウト情報管理装置１と、端末装置２と、を備える。部屋Ｒ１、Ｒ２、Ｒ３、Ｒ４、Ｒ５に配置された電気機器４は、それぞれ、通信モジュール（図示せず）を備えており、レイアウト情報管理装置１とネットワークＮＴを介して通信可能となっている。また、レイアウト情報管理装置１は、端末装置２と無線通信可能である。
【００１３】
レイアウト情報管理装置１は、図２に示すように、ＣＰＵ（Central Processing Unit）１０１と主記憶部１０２と補助記憶部１０３とネットワーク通信部１０６と端末通信部１０７と各部を相互に接続するバス１０９とを有する。主記憶部１０２は、揮発性メモリであり、ＣＰＵ１０１の作業領域として用いられる。補助記憶部１０３は、磁気ディスク、半導体フラッシュメモリ等の不揮発性メモリであり、レイアウト情報管理装置１の各種機能を実現するためのプログラムを記憶する。ネットワーク通信部１０６は、ネットワークＮＴに接続され、ネットワークＮＴを介して電気機器４と通信する。端末通信部１０７は、無線モジュールを有し、端末装置２と無線通信する。なお、レイアウト情報管理装置１は、ブロードバンドルータとしての機能を有し、インターネットのような広域ネットワークに接続可能なものであってもよい。
【００１４】
ＣＰＵ１０１は、補助記憶部１０３が記憶するプログラムを主記憶部１０２に読み出して実行することにより、選択部１１１、特定部１１２、更新部１１３、指示情報生成部１１４、指示情報送信部１１５、機器情報取得部１１６およびネットワークアドレス割当て部１１７および計時部１１８として機能する。主記憶部１０２は、レイアウト情報を更新する対象となる部屋を識別する部屋識別情報を一時的に記憶する更新対象記憶部１２１を有する。補助記憶部１０３は、レイアウト情報記憶部１３１と、ネットワークアドレス記憶部１３２と、間取り情報記憶部１３３と、を有する。レイアウト情報記憶部１３１は、例えば図３に示すように、各電気機器４の機器情報に含まれるＭＡＣ（Media Access Control）アドレス情報を、電気機器４が配置された部屋Ｒ１、Ｒ２、Ｒ３、Ｒ４、Ｒ５の部屋識別情報（例えば、ＩＤ１０１、ＩＤ１０２、ＩＤ１０３、ＩＤ１０４、ＩＤ１０５）に対応づけて記憶する。ＭＡＣアドレス情報は、ネットワークＮＴ上において各電気機器４で識別するために必要な個体情報である。ＭＡＣアドレス情報が示すＭＡＣアドレスは、それが付与される電気機器４の種類が判別できるように設定されている。
【００１５】
図２に戻って、ネットワークアドレス記憶部１３２は、例えばＡＲＰ（Address Resolution Protocol）テーブルを有するものであり、住居Ｈ内に配置された複数の電気機器４それぞれに割り当てられたネットワークアドレスを示すアドレス情報を、機器情報に対応づけて記憶する。ネットワークアドレスとしては、例えばＩＰ（Internet Protocol）アドレスが挙げられる。アドレス情報は、ネットワークアドレス割当て部１１７により生成される。間取り情報記憶部１３３は、住居Ｈ内における部屋Ｒ１、Ｒ２、Ｒ３、Ｒ４、Ｒ５の配置を示す間取り情報を記憶する。間取り情報記憶部１３３は、例えば図４に示すように、部屋Ｒ１、Ｒ２、Ｒ３、Ｒ４、Ｒ５が存在する階数を示す階数情報と、各部屋Ｒ１、Ｒ２、Ｒ３、Ｒ４、Ｒ５の名称を示す部屋名称情報と、を部屋識別情報に対応づけて記憶する。
【００１６】
選択部１１１は、レイアウト情報記憶部１３１が記憶する部屋識別情報ＩＤ１０１〜ＩＤ１０５の中から、レイアウト情報を更新する対象の部屋Ｒ１、Ｒ２、Ｒ３、Ｒ４、Ｒ５に付与された部屋識別情報を選択する。具体的には、選択部１１１は、端末装置２から取得した、レイアウト情報を更新する対象の部屋Ｒ１、Ｒ２、Ｒ３、Ｒ４、Ｒ５に付与された部屋識別情報を、更新対象記憶部１２１に記憶させる。
【００１７】
特定部１１２は、選択部１１１により部屋識別情報が選択された状態で、ネットワークＮＴを介した通信状態が変化した機器を特定する。特定部１１２は、選択部１１１により部屋識別情報が選択された状態で、ネットワークＮＴを介してアドレス要求情報を送信する電気機器４を、通信不可能な状態から通信可能な状態へ変化した電気機器４として特定する。ここで、アドレス要求情報は、レイアウト情報管理装置１に対してネットワークアドレスの割り当てを要求する接続要求情報である。また、特定部１１２は、選択部１１１により部屋識別情報が選択された状態で、部屋識別情報に対応づけられた機器情報を有する電気機器４のうち、ネットワークＮＴに接続されているか否かを問い合わせるための応答要求情報を送信したときに、対応する応答情報を取得できない応答要求情報の送信先の電気機器４を、通信可能な状態から通信不可能な状態へ変化した機器として特定する。
【００１８】
更新部１１３は、特定部１１２により特定された、通信不可能な状態から通信可能な状態へ変化した電気機器４の機器情報を、選択部１１１により選択された部屋識別情報に対応づけてレイアウト情報記憶部１３１に記憶させる形でレイアウト情報記憶部１３１が記憶する機器情報を更新する。更新部１１３は、例えば特定部１１２により電気機器４Ａの機器情報が特定された場合、電気機器４Ａの機器情報を、選択部１１１により選択された部屋Ｒ１（例えば、リビングルーム）の部屋識別情報（ＩＤ１０１）に対応づけてレイアウト情報記憶部１３１に記憶させる。ここで、機器情報は、前述のＭＡＣアドレス情報を含む。なお、機器情報は、ＭＡＣアドレス情報の他に、電気機器４の種類を識別する種類識別情報、電気機器４の型名を示す型名情報、電気機器４に付与されたシリアル番号を示すシリアル番号情報、電気機器４の定格電力を示す定格電力情報、電気機器４のメーカ名を示すメーカ名情報等を含んでいてもよい。また、更新部１１３は、選択部１１１により選択された部屋識別情報に対応づけられた機器情報のうち、特定部１１２により特定された、通信可能な状態から通信不可能な状態へ変化した電気機器４の機器情報をレイアウト情報記憶部１３１から削除する形でレイアウト情報記憶部１３１が記憶する機器情報を更新する。
【００１９】
指示情報生成部１１４は、選択部１１１により選択された部屋識別情報に対応付けられた電気機器４を、ネットワークＮＴに接続する操作を行うようユーザに指示するための接続指示情報を生成する。指示情報生成部１１４は、例えば、選択部１１１により部屋Ｒ１の部屋識別情報（ＩＤ１０１）が選択されている場合、部屋Ｒ１に配置された電気機器４ＡをネットワークＮＴに接続するための操作を行うようユーザに指示するための接続指示情報を生成する。また、指示情報生成部１１４は、選択部１１１により選択された部屋識別情報に対応付けられた電気機器４を、ネットワークＮＴから切断する操作を行うようユーザに指示するための切断指示情報を生成する。指示情報生成部１１４は、例えば、選択部１１１により部屋Ｒ１の部屋識別情報（ＩＤ１０１）が選択されている場合、部屋Ｒ１に配置された電気機器４（例えば電気機器４Ｃ）をネットワークＮＴから切断するための操作を行うようユーザに指示するための切断指示情報を生成する。指示情報送信部１１５は、指示情報生成部１１４により生成された接続指示情報または切断指示情報を、端末通信部１０７を介して端末装置２へ送信する。また、指示情報送信部１１５は、指示情報生成部１１４により生成された機器情報要求情報を、特定部１１２により特定された、通信不可能な状態から通信可能な状態へ変化した電気機器４へネットワーク通信部１０６を介して送信する。
【００２０】
機器情報取得部１１６は、電気機器４に機器情報の送信を要求する機器情報要求情報を送信することにより、電気機器４からその電気機器４の機器情報を取得する。ここで、機器情報要求情報は、例えばＡＲＰリクエスト情報である。この場合、電気機器４は、ＡＲＰリクエスト情報を受信すると、それに対してＭＡＣアドレス情報を含むＡＲＰリプライ情報をレイアウト情報管理装置へ送信する。機器情報取得部１１６は、取得した機器情報を、ネットワークアドレス割当て部１１７により割り当てられるネットワークアドレスを示すアドレス情報に対応付けてネットワークアドレス記憶部１３２に記憶させる。
【００２１】
ネットワークアドレス割当て部１１７は、ＤＨＣＰ（Dynamic Host Configuration Protocol）サーバとしての機能を実現するためのものであり、ネットワークＮＴに接続された電気機器４それぞれにネットワークアドレスを割り当てる。ネットワークアドレス割当て部１１７は、新たに電気機器４に割り当てたネットワークアドレスを示すアドレス情報をネットワークアドレス記憶部１３２に記憶させる。また、ネットワークアドレス割当て部１１７は、選択部１１１により選択された部屋識別情報に対応づけられた機器情報を有する電気機器４それぞれへ応答要求情報を送信する。
【００２２】
計時部１１８は、例えばソフトウェアタイマを有し、ネットワークアドレス割当て部１１７が応答要求情報を電気機器４へ送信した直後からの経過時間を計時する。ここで、ネットワークアドレス割当て部１１７は、計時部１１８により計時される経過時間が予め設定された基準時間に達するまでに、電気機器４から応答情報が取得できないと判定すると、電気機器４への再度応答要求情報を送信する。そして、ネットワークアドレス割当て部１１７は、予め設定された基準回数だけ繰り返し応答要求情報を送信しても電気機器４から応答情報を取得できない場合、電気機器４がネットワークＮＴに接続されていないと判定する。そして、ネットワークアドレス割当て部１１７は、ネットワークＮＴに接続されていないと判定した電気機器４に割り当てたネットワークアドレスを示すアドレス情報を、その機器情報とともにネットワークアドレス記憶部１３２から削除する。
【００２３】
端末装置２は、タブレット端末、スマートフォン等であり、例えば図５に示すように、ＣＰＵ２０１と主記憶部２０２と補助記憶部２０３と入力部２０４と表示部２０５と通信部２０６と各部を相互に接続するバス２０９とを有する。主記憶部２０２は、揮発性メモリであり、ＣＰＵ２０１の作業領域として用いられる。補助記憶部２０３は、不揮発性メモリであり、端末装置２の各種機能を実現するためのプログラムを記憶する。入力部２０４は、タッチパッド２０４ａを有し、ユーザがタッチパッド２０４ａを操作するとその操作内容に応じた情報をＣＰＵ２０１へ出力する。表示部２０５は、ディスプレイ２０５ａを有し、例えばＣＰＵ２０１から入力される各種情報または操作画面画像をディスプレイ２０５ａに表示させる。ディスプレイ２０５ａは、例えば液晶ディスプレイである。タッチパッド２０４ａは、ディスプレイ２０５ａに重ねて配置されており、ユーザは、ディスプレイ２０５ａに表示された操作画面画像を見ながらタッチパッド２０４ａを操作することができる。通信部２０６は、無線モジュールを有し、レイアウト情報管理装置１と無線通信する。
【００２４】
ＣＰＵ２０１は、補助記憶部２０３が記憶するプログラムを主記憶部２０２に読み出して実行することにより、受付部２１１、送信部２１２、表示制御部２１３、メッセージ通知部２１５および操作画面生成部２１４として機能する。主記憶部２０２は、ユーザが入力部２０４を介して入力し受付部２１１が受け付けた情報を一時的に記憶する入力情報記憶部２２１を有する。補助記憶部２０３は、マーク画像記憶部２３１とメッセージ記憶部２３２と間取り情報記憶部２３３とネットワークアドレス記憶部２３４とを有する。マーク画像記憶部２３１は、例えば図６に示すように、各電気機器４のマーク画像を示すマーク画像情報を、各電気機器４のＭＡＣアドレス情報に対応づけて記憶する。なお、機器情報が、前述のように、ＭＡＣアドレス情報の他に種類識別情報、型名情報、シリアル番号情報を含む場合、マーク画像記憶部２３１は、各電気機器４のマーク画像を示すマーク画像情報を、各電気機器４の種類識別情報、型名情報またはシリアル番号情報に対応づけて記憶するものであってもよい。
【００２５】
図５に戻って、メッセージ記憶部２３２は、レイアウト情報管理装置１の選択部１１１により選択された部屋識別情報に対応付けられた電気機器４を、ネットワークＮＴに接続する操作を行うようユーザに促す第１メッセージ情報と、選択部１１１により選択された部屋識別情報に対応付けられた電気機器４を、ネットワークＮＴから切断する操作を行うようユーザに促す第２メッセージ情報と、を記憶する。
【００２６】
間取り情報記憶部２３３は、前述のレイアウト情報管理装置１の間取り情報記憶部１３３と同様に、住居Ｈ内における部屋Ｒ１、Ｒ２、Ｒ３、Ｒ４、Ｒ５の配置を示す間取り情報を記憶する。具体的には、間取り情報記憶部２３３は、間取り情報記憶部１３３と同様に、例えば図４に示すように、部屋Ｒ１、Ｒ２、Ｒ３、Ｒ４、Ｒ５が存在する階数を示す階数情報と、各部屋Ｒ１、Ｒ２、Ｒ３、Ｒ４、Ｒ５の名称を示す部屋名称情報と、を部屋識別情報に対応づけて記憶する。ネットワークアドレス記憶部２３４は、レイアウト情報管理装置１から割り当てられたネットワークアドレスを示すアドレス情報を記憶する。
【００２７】
図５に戻って、受付部２１１は、ユーザにより入力部２０４が操作されると、その操作内容に応じた入力情報を受け付けて入力情報記憶部２２１に記憶させる。受付部２１１は、ユーザが入力部２０４を介して部屋を選択する操作を行うと、ユーザが選択した部屋の部屋識別情報を入力情報記憶部２２１に記憶させる。また、受付部２１１は、ユーザが入力部２０４を介してレイアウト情報を更新することを指示する更新指示操作を行うと、更新指示情報を受け付けて入力情報記憶部２２１に記憶させる。更に、受付部２１１は、ユーザが入力部２０４を介して間取り情報を入力する操作を行うと、間取り情報を受け付けて間取り情報記憶部２３３に記憶させる。送信部２１２は、入力情報記憶部２２１が記憶する部屋識別情報をレイアウト情報管理装置１へ送信したり、入力情報記憶部２２１が記憶するレイアウト情報更新指令情報をレイアウト情報管理装置１へ送信したりする。
【００２８】
メッセージ通知部２１５は、レイアウト情報管理装置１から接続指示情報を受信すると、メッセージ記憶部２３２から第１メッセージ情報を取得し、取得した第１メッセージ情報をディスプレイ２０５ａに表示させる。一方、メッセージ通知部２１５は、レイアウト情報管理装置１から切断指示情報を受信すると、メッセージ記憶部２３２から第２メッセージ情報を取得し、取得した第２メッセージ情報をディスプレイ２０５ａに表示させる。
【００２９】
操作画面生成部２１４は、間取り情報記憶部２３３から間取り情報を取得し、取得した間取り情報に基づいて、例えば住居Ｈと住居Ｈ内の部屋Ｒ１、Ｒ２、Ｒ３、Ｒ４、Ｒ５とを示す間取り画像を含む操作画面画像を生成する。表示制御部２１３は、レイアウト情報管理装置１のレイアウト情報記憶部１３１から通信部２０６を介して機器情報および部屋識別情報を取得する。また、表示制御部２１３は、部屋識別情報およびＭＡＣアドレス情報に基づいて、マーク画像記憶部２３１から間取り画像における各部屋Ｒ１、Ｒ２、Ｒ３、Ｒ４、Ｒ５に対応する位置に表示されるべきマーク画像を特定する。そして、表示制御部２１３は、特定したマーク画像を、操作画面生成部２１４が生成した操作画面画像に含まれる間取り画像における各部屋Ｒ１、Ｒ２、Ｒ３、Ｒ４、Ｒ５に対応する位置に合成して表示部２０５に表示させる。
【００３０】
次に、本実施の形態に係るレイアウト情報管理システムの動作について図７から図２１を参照しながら説明する。まず、ユーザが端末装置２に対して間取り情報を登録する操作を行うと、端末装置２は、間取り情報を登録する操作を受け付ける（ステップＳ１）。そして、端末装置２は、受け付けた操作に対応する間取り情報を生成し間取り情報記憶部２３３に記憶させる（ステップＳ２）。次に、生成された間取り情報が、端末装置２からレイアウト情報管理装置１へ送信される（ステップＳ３）。レイアウト情報管理装置１は、端末装置２から受信した間取り情報を間取り情報記憶部１３３に記憶させる（ステップＳ４）。続いて、端末装置２は、間取り情報記憶部２３３から間取り情報を取得し、取得した間取り情報に基づいた間取り画像を含む操作画面画像を生成し、ディスプレイ２０５ａに表示させる（ステップＳ５）。
【００３１】
ここで、端末装置２は、例えば図８（Ａ）に示すような、対象となる住居Ｈの階数を示す領域Ａ１０と住居Ｈの各階に存在する部屋の名称を入力する欄ＢＯ２とを含む間取り情報受付画像をディスプレイ２０５ａに表示させる。ユーザは、この操作画面画像がディスプレイ２０５ａに表示されている状態で、ディスプレイ２０５ａに重ねて配置されたタッチパッド２０４ａを指Ｆでスワイプする操作を行うことにより（図８（Ａ）の矢印ＡＲ１参照）、所望する階数の部屋名称を表示部２０５に表示させることができる。
【００３２】
ここで、ユーザが、図８（Ｂ）に示すように、タッチパッド２０４ａにおける名称を入力したい部屋に対応する欄ＢＯ２の右横に位置するキー画像ＢＵ１に対応する部分を指Ｆでタッチしたとする。この場合、端末装置２は、図９（Ａ）に示すように、プルダウンメニュー画像ＰＭ１をディスプレイ２０５ａに表示させる。これにより、ユーザは、プルダウンメニュー画像ＰＭ１の中から部屋の名称を選択することができる。このとき、ユーザは、プルダウンメニュー画像ＰＭ１において予め設定されている部屋の名称ＭＥ１の中に希望する部屋の名称が存在しない場合、「個別入力」ＭＥ２を選択して部屋の名称を文字入力することができる。また、住居Ｈの各階における実際の部屋の数が操作画面画像に含まれる部屋の数よりも多いとする。この場合、図９（Ｂ）に示すように、ユーザは、タッチパッド２０４ａにおける操作画面画像の右端に位置するキー画像ＢＵ４に対応する部分を指Ｆでタッチすることにより、操作画面画像に含まれる入力欄ＢＯ２の数を増加させることができる。この入力欄ＢＯ２は、各階に対応する部屋の名称を入力する欄である。更に、住居Ｈの実際の階数が操作画面画像に含まれる階数よりも多いとする。この場合、ユーザは、タッチパッド２０４ａにおける操作画面画像の上端に位置するキー画像ＢＵ２またはキー画像ＢＵ３に対応する部分を指Ｆでタッチすることにより、操作画面画像に含まれる階数よりも上の階または下の階を追加することができる。そして、ユーザが住居Ｈの全ての部屋に対応する欄ＢＯ２それぞれに部屋の名称を入力した後、タッチパッド２０４ａにおける設定キー画像ＢＵ５に対応する部分をタッチすると、端末装置２の受付部２１１が、入力された間取り情報を受け付けて間取り情報記憶部２３３に記憶させる。このとき、端末装置２の送信部２１２は、受付部２１１が受け付けた間取り情報をレイアウト情報管理装置１へ送信する。そして、レイアウト情報管理装置１では、受信した間取り情報を間取り情報記憶部１３３に記憶させる。また、端末装置２の操作画面生成部２１４は、間取り情報記憶部２３３から間取り情報を取得し、取得した間取り情報に基づいた間取り画像を含む操作画面画像を生成する。このようにして、ユーザが前述の操作を行うことにより、間取り情報記憶部２３３が記憶する間取り情報について、部屋の名称または部屋の位置が変更可能となっている。
【００３３】
ここにおいて、端末装置２は、間取り情報記憶部２３３が記憶する間取り情報に基づいて、例えば図１０に示すような、住居Ｈの間取りを示す間取り画像ＧＡＨを含む操作画面画像をディスプレイ２０５ａに表示させる（ステップＳ６）。
【００３４】
図７に戻って、その後、端末装置２が、ユーザによる、レイアウト情報管理装置１が記憶する電気機器４のレイアウト情報を更新するための操作を受け付けたとする（ステップＳ７）。ここにおいて、ユーザは、例えば図１１（Ａ）に示すように、住居Ｈの間取りを示す間取り画像ＧＡＨを含む操作画面画像がディスプレイ２０５ａに表示されている状態で、タッチパッド２０４ａにおけるレイアウト情報を更新する対象となる部屋（例えば部屋Ｒ１）に対応する領域（例えば領域Ａ１）を指Ｆでタッチする操作を行う。このとき、端末装置２は、ユーザにより指Ｆでタッチされた領域（例えば領域Ａ１）に対応する部屋（例えば部屋Ｒ１）を示す部屋識別情報を、端末装置２の受付部２１１が入力情報記憶部２２１に記憶させる。次に、図７に示すように、入力情報記憶部２２１が記憶する部屋識別情報が、端末装置２からレイアウト情報管理装置１へ送信される（ステップＳ８）。
【００３５】
一方、レイアウト情報管理装置１は、端末装置２から前述の部屋識別情報を受信すると、機器情報を更新する更新モードでの動作を開始し（ステップＳ９）、受信した部屋識別情報を、レイアウト情報を更新する対象となる部屋（例えば部屋Ｒ１）の部屋識別情報として選択する（ステップＳ１０）。ここで、レイアウト情報管理装置１は、受信した部屋識別情報を、更新対象記憶部１２１に記憶させる。
【００３６】
続いて、端末装置２は、図１１（Ｂ）に示すような、選択した領域（例えば領域Ａ１）に対応する部屋（例えば部屋Ｒ１）の機器情報を更新するための指示を含む「レイアウト更新」ウィンドウ画像ＰＭ２をディスプレイ２０５ａに表示させる（ステップＳ１１）。この「レイアウト更新」ウィンドウ画像ＰＭ２は、「機器登録」キー画像ＢＵ１１と、「機器削除」キー画像ＢＵ１２と、「終了」キー画像ＢＵ１４と、を含む。「機器登録」キー画像ＢＵ１１は、ステップＳ８において、ユーザが選択した領域（例えば領域Ａ１）に対応する部屋（例えば部屋Ｒ１）に新たに配置する電気機器４の機器情報を、レイアウト情報管理装置１のレイアウト情報記憶部１３１に記憶させる際のタッチパッド２０４ａ上のタッチ位置を示す。「機器削除」キー画像ＢＵ１２は、ユーザが選択した領域に対応する部屋に配置された電気機器４の機器情報を、レイアウト情報管理装置１のレイアウト情報記憶部１３１から削除する際のタッチパッド２０４ａ上のタッチ位置を示す。「終了」キー画像ＢＵ１４は、ユーザが選択した領域に対応する部屋に配置された電気機器４の機器情報の更新処理を終了する際のタッチパッド２０４ａ上のタッチ位置を示す。
【００３７】
ここで、ユーザが、選択した領域（例えば領域Ａ１）に対応する部屋（例えば部屋Ｒ１）に新たに電気機器４を配置して、図１２（Ａ）に示すように、タッチパッド２０４ａにおける「機器登録」キー画像ＢＵ１１に対応する部分をタッチしたとする。この場合、端末装置２は、電気機器４の機器情報をレイアウト情報管理装置１に登録するための登録指示操作を受け付ける（ステップＳ１２）。このとき、端末装置２は、受け付けた登録指示操作に対応する機器登録指令情報を生成して入力情報記憶部２２１に記憶させる。その後、レイアウト情報管理装置１に対して新たに電気機器４の登録を指令する機器登録指令情報が、端末装置２からレイアウト情報管理装置１へ送信される（ステップＳ１３）。なお、ユーザが、タッチパッド２０４ａにおける「機器削除」キー画像ＢＵ１２に対応する部分をタッチした場合の動作については後述する。
【００３８】
一方、レイアウト情報管理装置１は、端末装置２から接続指示情報を受信すると、選択された部屋識別情報に対応付けられた機器を、ネットワークＮＴに接続する操作を行うようユーザに指示するための接続指示情報を生成する（ステップＳ１４）。次に、生成された接続指示情報が、レイアウト情報管理装置１から端末装置２へ送信される（ステップＳ１５）。一方、端末装置２は、レイアウト情報管理装置１から接続指示情報を受信すると、選択された部屋に配置された電気機器４をネットワークＮＴに接続する操作を行うようユーザに促す第１メッセージ情報を表示する（ステップＳ１６）。
【００３９】
ここで、端末装置２は、例えば図１２（Ｂ）に示すように、第１メッセージ情報Ｍ１を含む「機器登録」ウィンドウ画像ＰＭ４をディスプレイ２０５ａに表示させる。第１メッセージ情報Ｍ１は、ユーザに選択された部屋に配置された機器をネットワークに接続するよう促すメッセージ情報であり、図１２（Ｂ）の場合、「点滅している部屋の機器を接続してください。」というメッセージ情報である。ここにおいて、住居Ｈの間取りを示す間取り画像ＧＡＨにおける部屋Ｒ１に対応する領域Ａ１は、周部が点滅しておりユーザが操作すべき機器が配置された部屋を視認し易くなっている。これにより、ユーザが誤って他の部屋に配置された電気機器４を操作してしまうことが抑制される。ユーザは、ディスプレイ２０５ａに表示された「機器登録」ウィンドウ画像ＰＭ４に含まれる部屋の名称を参照しながら機器情報を登録する電気機器４をネットワークＮＴに接続できる。
【００４０】
図７に戻って、ユーザが、電気機器４をネットワークＮＴに接続する操作を行ったとする。この場合、レイアウト情報管理装置１に対してアドレス情報の割り当てを要求するアドレス要求情報が、電気機器４からレイアウト情報管理装置１へ送信される（ステップＳ１７）。レイアウト情報管理装置１は、アドレス要求情報を受信すると、アドレス要求情報の送信元の電気機器４を、通信不可能な状態から通信可能な状態へ変化した電気機器４として特定する（ステップＳ１８）。次に、図１３に示すように、レイアウト情報管理装置１は、特定した電気機器４に割り当てるネットワークアドレスを示すアドレス情報を生成する（ステップＳ１９）。続いて、生成されたアドレス情報と機器情報要求情報とが、レイアウト情報管理装置１からアドレス要求情報の送信元の電気機器４へ送信される（ステップＳ２０）。
【００４１】
一方、電気機器４は、レイアウト情報管理装置１からアドレス情報および機器情報要求情報を受信すると、アドレス情報をネットワークアドレス記憶部２３４に記憶させる。そして、図１３に示すように、電気機器４の機器情報が、電気機器４からレイアウト情報管理装置１へ送信される（ステップＳ２１）。この機器情報には、電気機器４に固有のＭＡＣアドレス情報が含まれる。なお、機器情報は、前述のようにＭＡＣアドレス情報の他に、種類識別情報、型名情報、シリアル番号情報、定格電力情報、メーカ名情報等を含んでいてもよい。続いて、レイアウト情報管理装置１は、電気機器４から機器情報を受信すると、機器情報を、更新対象記憶部１２１が記憶する部屋識別情報に対応づけてレイアウト情報記憶部１３１に記憶させる（ステップＳ２２）。その後、電気機器４から受信した機器情報が、レイアウト情報管理装置１から端末装置２へ送信される（ステップＳ２３）。
【００４２】
一方、端末装置２は、レイアウト情報管理装置１から機器情報を受信すると、受信した機器情報と部屋識別情報とに基づいて、マーク画像記憶部２３１から間取り画像ＧＡＨにおける部屋Ｒ１に対応する位置に表示されるべきマーク画像を特定する（ステップＳ２４）。次に、端末装置２は、例えば図１４（Ａ）に示すように、特定したマーク画像を部屋Ｒ１に対応する位置に合成した間取り画像を生成してディスプレイ２０５ａに表示させる（ステップＳ２５）。図１４（Ａ）に示す例では、ユーザがネットワークＮＴに接続する操作を行った対象の電気機器４がエアコンである場合を示し、部屋Ｒ１に対応する領域Ａ１にエアコンのマーク画像ＧＡ１が合成されて表示される。
【００４３】
その後、ユーザが他の電気機器４をネットワークＮＴに接続する毎に、前述のステップＳ１７からステップＳ２５までの一連の処理が繰り返し実行される。例えば、部屋Ｒ１に配置された、ネットワークＮＴに接続された電気機器４が、エアコンの他に冷蔵庫とテレビである場合、図１４（Ｂ）に示すように、部屋Ｒ１に対応する領域Ａ１にエアコンのマーク画像ＧＡ１の他に冷蔵庫のマーク画像ＧＡ３とテレビのマーク画像ＧＡ４とが合成されて表示される。このように、端末装置２が、図１４（Ｂ）に示すような、マーク画像ＧＡ１、ＧＡ３、ＧＡ４が合成された間取り画像をディスプレイ２０５ａに表示させることにより、ユーザは、ネットワークＮＴに接続する操作を行った電気機器４の全てがレイアウト情報管理装置１に登録されたことを確認できる。
【００４４】
ここで、図１５（Ａ）に示すように、ユーザがタッチパッド２０４ａにおける「登録終了」キー画像ＢＵ１５に対応する部分を指Ｆでタッチしたとする。この場合、端末装置２は、登録終了操作を受け付ける（ステップＳ２６）。この場合、機器情報の更新を終了する旨を通知する終了通知情報が、端末装置２からレイアウト情報管理装置１へ送信される（ステップＳ２７）。一方、レイアウト情報管理装置１は、端末装置２から終了通知を受信すると、更新モードでの動作を終了する（ステップＳ２８）。そして、レイアウト情報管理装置１は、以後、レイアウト情報記憶部１３１が記憶する機器情報の更新処理を実行しなくなる。これにより、例えばユーザが意図しない電気機器４がネットワークＮＴに接続された場合において、レイアウト情報管理装置１がその電気機器４の機器情報をレイアウト情報記憶部１３１に記憶してしまうことを防止できる。
【００４５】
その後、ユーザが、再び住居Ｈの他の部屋（例えば部屋Ｒ２、Ｒ３、Ｒ４、Ｒ５）のいずれかに対応する領域をタッチすると、前述のステップＳ７以降の処理が実行され、続けて他の部屋に配置された電気機器４の機器情報をレイアウト情報管理装置１に登録することができる。そして、端末装置２は、例えば図１６に示すような操作画面画像をディスプレイ２０５ａに表示させる。ここでは、エアコンのマーク画像ＧＡ１、給湯機（給湯設備）のマーク画像ＧＡ２、冷蔵庫のマーク画像ＧＡ３、テレビのマーク画像ＧＡ４が、間取り画像ＧＡＨの各部屋に対応する領域Ａ１、Ａ２、Ａ３、Ａ４、Ａ５に合成されて表示されている。これにより、ユーザは、この操作画面画像を確認することにより、住居Ｈ内に配置された各電気機器４のレイアウトを把握し易くなる。
【００４６】
また、図１７に示すように、ステップＳ３１からＳ３５までの一連の処理が実行されることにより、端末装置２は、図１１（Ｂ）に示すような、選択した領域（例えば領域Ａ１）に対応する部屋（例えば部屋Ｒ１）の機器情報を更新するための指示を含む「レイアウト更新」ウィンドウ画像ＰＭ２をディスプレイ２０５ａに表示させる（ステップＳ３５）。なお、ステップＳ３１からＳ３５までの処理は、前述のステップＳ７からＳ１１までの処理と同様である。
【００４７】
ここで、ユーザが、図１８（Ａ）に示すように、タッチパッド２０４ａにおける「機器削除」キー画像ＢＵ１２に対応する部分をタッチしたとする。この場合、端末装置２は、部屋識別情報に対応づけられた機器情報をレイアウト情報管理装置１から削除するための削除指示操作を受け付ける（ステップＳ３６）。このとき、端末装置２は、受け付けた削除指示操作に対応する機器削除指令情報を生成して入力情報記憶部２２１に記憶させる。その後、レイアウト情報管理装置１に対してレイアウト情報管理装置１に登録されている機器情報の削除を指令する機器削除指令情報が、端末装置２からレイアウト情報管理装置１へ送信される（ステップＳ３７）。
【００４８】
一方、レイアウト情報管理装置１は、端末装置２から機器削除指令情報を受信すると、選択された部屋識別情報に対応付けられた電気機器４を、ネットワークＮＴから切断する操作を行うようユーザに指示するための切断指示情報を生成する（ステップＳ３８）。次に、生成された切断指示情報が、レイアウト情報管理装置１から端末装置２へ送信される（ステップＳ３９）。一方、端末装置２は、レイアウト情報管理装置１から切断指示情報を受信すると、選択された部屋識別情報に対応付けられた電気機器４を、ネットワークＮＴから切断する操作を行うようユーザに促す第２メッセージ情報をディスプレイ２０５ａに表示させる（ステップＳ４０）。ここで、端末装置２は、例えば図１８（Ｂ）に示すように、第２メッセージ情報Ｍ２を含む「機器削除」ウィンドウ画像ＰＭ５を、ディスプレイ２０５ａに表示させる。第２メッセージ情報Ｍ２は、選択された部屋識別情報で識別される部屋に配置された電気機器４を、ネットワークＮＴから切断するよう促すメッセージ情報であり、図１８（Ｂ）に示す「点滅している部屋の機器を切断してください。」というメッセージを示す。また、住居Ｈの間取りを示す間取り画像ＧＡＨにおける部屋Ｒ１に対応する領域Ａ１は、周部が点滅する。これにより、ユーザが、ネットワークＮＴから切断する操作を行うべき電気機器４が配置された部屋が視認し易くなるので、ユーザが誤って他の部屋に配置された電気機器４を操作してしまうことが抑制される。また、ユーザは、ディスプレイ２０５ａに表示された「機器削除」ウィンドウ画像ＰＭ５に含まれる部屋の名称を参照しながら電気機器４をネットワークＮＴから切断する操作を行うことができる。
【００４９】
図１７に戻って、ユーザが、電気機器４をネットワークＮＴから切断する操作を行ったとする。この場合、選択された部屋識別情報に対応付けられた機器情報に対応する電気機器４に対して応答情報の送信を要求する応答要求情報が、レイアウト情報管理装置１から電気機器４へ送信される（ステップＳ４１）。この応答要求情報は、例えば各電気機器４に割り当てられたネットワークアドレスを宛先とするＰＩＮＧコマンド情報である。ここで、応答要求情報が送信された直後から経過時間が予め設定された基準時間に達した場合、再度、応答要求情報が、レイアウト情報管理装置１から電気機器４へ送信される。続いて、レイアウト情報管理装置１は、応答情報を受信しない電気機器４を、通信可能な状態から通信不可能な状態へ変化した電気機器４として特定する（ステップＳ４２）。ここで、レイアウト情報管理装置１は、応答要求情報を予め設定された基準回数だけ繰り返し送信しても応答情報を受信しない電気機器４を、ネットワークＮＴから切断され通信可能な状態から通信不可能な状態へ変化した電気機器４として特定する。その後、レイアウト情報管理装置１は、特定した電気機器４の機器情報を、レイアウト情報記憶部１３１から削除する（ステップＳ４３）。次に、レイアウト情報記憶部１３１から削除した機器情報が、レイアウト情報管理装置１から端末装置２へ送信される（ステップＳ４４）。
【００５０】
一方、端末装置２は、レイアウト情報管理装置１から機器情報を受信すると、受信した機器情報に対応する電気機器４のマーク画像の表示を変更する（ステップＳ４５）。ここで、端末装置２は、例えば図１９に示すように、受信した機器情報に対応する電気機器４のマーク画像を、他のマーク画像よりも濃淡が淡いマーク画像に変更してディスプレイ２０５ａに表示させる。ここでは、部屋Ｒ１に配置されたテレビが、ユーザによってネットワークＮＴから切断された場合を示している。なお、端末装置２は、受信した機器情報に対応する電気機器４のマーク画像を点滅するマーク画像に変更して表示してもよい。このように、端末装置２が、受信した機器情報に対応するマーク画像を、他のマーク画像と区別できる表示態様に変更してディスプレイ２０５ａに表示させることにより、ユーザは、意図した電気機器４がレイアウト情報管理装置１から削除されていることの確認ができる。
【００５１】
ここで、図２０（Ａ）に示すように、ユーザがタッチパッド２０４ａにおける「削除終了」キー画像ＢＵ２１に対応する部分を指Ｆでタッチしたとする。この場合、端末装置２は、図１７に示すように、削除終了操作を受け付ける（ステップＳ４６）。この場合、機器情報の更新を終了する旨を通知する終了通知情報が、端末装置２からレイアウト情報管理装置１へ送信される（ステップＳ４７）。続いて、端末装置２は、受信した機器情報に対応する電気機器４のマーク画像を含まない間取り画像をディスプレイ２０５ａに表示させる（ステップＳ４８）。端末装置２は、例えば図２０（Ｂ）に示すように、部屋Ｒ１に相当する領域Ａ１からテレビを示すマーク画像が消去された画像をディスプレイ２０５ａに表示させる。
【００５２】
一方、図１７に示すように、レイアウト情報管理装置１は、端末装置２から終了通知を受信すると、更新モードでの動作を終了する（ステップＳ４９）。そして、レイアウト情報管理装置１は、以後、レイアウト情報記憶部１３１が記憶する機器情報の更新処理を実行しなくなる。これにより、例えば電気機器４が一時的にネットワークＮＴに接続された場合において、レイアウト情報管理装置１がその電気機器４の機器情報をレイアウト情報記憶部１３１から削除してしまうことを防止できる。
【００５３】
その後、端末装置２は、図２１に示すように、住居Ｈの間取り画像ＧＡＨを含む操作画面画像をディスプレイ２０５ａに表示させる（ステップＳ６１）。次に、レイアウト情報の取得を要求するためのレイアウト情報取得要求情報が、端末装置２からレイアウト情報管理装置１へ送信される（ステップＳ６２）。一方、レイアウト情報管理装置１は、レイアウト情報取得要求情報を受信すると、レイアウト情報記憶部１３１から機器情報と部屋識別情報とを取得する。そして、取得された機器情報と部屋識別情報とが、レイアウト情報管理装置１から端末装置２へ送信される（ステップＳ６３）。
【００５４】
一方、端末装置２は、機器情報と部屋識別情報とを受信すると、受信した機器情報と部屋識別情報とに基づいて、各部屋Ｒ１、Ｒ２、Ｒ３、Ｒ４、Ｒ５に対応する領域Ａ１、Ａ２、Ａ３、Ａ４、Ａ５に各部屋Ｒ１、Ｒ２、Ｒ３、Ｒ４、Ｒ５に配置された電気機器４を示すマーク画像を含む操作画面画像を生成する（ステップＳ６４）。その後、端末装置２は、図１６または図２０（Ｂ）に示したような操作画面画像をディスプレイ２０５ａに表示させる（ステップＳ６５）。これにより、ユーザは、操作画面画像を確認することにより、住居Ｈ内に配置された各電気機器４のレイアウトを容易に把握することができる。
【００５５】
次に、本実施の形態に係るレイアウト情報管理装置１が実行するレイアウト情報更新処理について、図２２および図２３を参照しながら説明する。このレイアウト情報更新処理は、間取り情報記憶部１３３に住居Ｈ内における部屋Ｒ１、Ｒ２、Ｒ３、Ｒ４、Ｒ５の配置を示す間取り情報が記憶された状態で、レイアウト情報を更新する部屋を識別する部屋識別情報ＩＤ１０１、ＩＤ１０２、ＩＤ１０３、ＩＤ１０４、ＩＤ１０５を、端末装置２から受信したことを契機として開始される。まず、選択部１１１は、図２２に示すように、端末装置２から受信した部屋識別情報を選択する（ステップＳ１０１）。ここでは、選択部１１１が、端末装置２から取得した、レイアウト情報を更新する対象の部屋Ｒ１、Ｒ２、Ｒ３、Ｒ４、Ｒ５に付与された部屋識別情報ＩＤ１０１、ＩＤ１０２、ＩＤ１０３、ＩＤ１０４、ＩＤ１０５を、更新対象記憶部１２１に記憶させる。
【００５６】
次に、指示情報生成部１１４は、端末装置２から登録指令情報を受信したか否かを判定する（ステップＳ１０２）。指示情報生成部１１４は、登録指令情報を受信したと判定すると（ステップＳ１０２：Ｙｅｓ）、選択部１１１により選択された部屋識別情報に対応付けられた電気機器４を、ネットワークＮＴに接続する操作を行うようユーザに指示するための接続指示情報を生成する（ステップＳ１０３）。続いて、指示情報送信部１１５は、生成された接続指示情報を端末装置２へ送信する（ステップＳ１０４）。ここで、端末装置２のメッセージ通知部２１５は、レイアウト情報管理装置１から接続要求情報を受信すると、選択された部屋識別情報に対応付けられた電気機器４を、ネットワークＮＴに接続する操作を行うようユーザに促す第１メッセージ情報Ｍ１をディスプレイ２０５ａに表示させる。
【００５７】
その後、特定部１１２は、ネットワークＮＴに新たに接続された電気機器４からアドレス要求情報を受信したか否かを判定する（ステップＳ１０５）。特定部１１２は、電気機器４からアドレス要求情報を受信したと判定すると（ステップＳ１０５：Ｙｅｓ）、その電気機器４を、通信不可能な状態から通信可能な状態へ変化した電気機器４として特定する（ステップＳ１０６）。次に、ネットワークアドレス割当て部１１７は、特定部１１２により特定された電気機器４に割り当てるネットワークアドレスを示すアドレス情報を生成して電気機器４へ送信する（ステップＳ１０７）。ここで、ネットワークアドレス割当て部１１７は、生成したアドレス情報をネットワークアドレス記憶部１３２に記憶させる。続いて、機器情報取得部１１６は、特定部１１２により特定された電気機器４に対して機器情報の送信を要求する機器情報要求情報を電気機器４へ送信することにより（ステップＳ１０８）、電気機器４から送信される機器情報を取得する（ステップＳ１０９）。ここで、電気機器４は、機器情報要求情報を受信すると、自機のＭＡＣアドレス情報を含む機器情報をレイアウト情報管理装置１へ送信する。続いて、更新部１１３は、電気機器４から受信した機器情報を、選択部１１１が選択した部屋の識別情報に対応づけてレイアウト情報記憶部１３１に記憶させる形でレイアウト情報記憶部１３１が記憶するレイアウト情報を更新する（ステップＳ１１０）。その後、更新部１１３は、新たにレイアウト情報記憶部１３１に記憶させた機器情報を端末装置２へ送信する（ステップＳ１１１）。このとき、端末装置２は、受信した機器情報に基づいて特定した電気機器４のマーク画像を、間取り画像における、入力情報記憶部２２１が記憶する部屋識別情報で識別される部屋に対応する領域に合成した操作画面画像を生成して、表示部２０５のディスプレイ２０５ａに表示させる。次に、再びステップＳ１０５の処理が実行される。
【００５８】
一方、特定部１１２は、ネットワークＮＴに新たに接続された電気機器４からアドレス要求情報を受信していない判定すると（ステップＳ１０５：Ｎｏ）、端末装置２から終了通知情報を受信したか否かを判定する（ステップＳ１１２）。特定部１１２が端末装置２から終了通知情報を受信していないと判定すると（ステップＳ１１２：Ｎｏ）、再びステップＳ１０５の処理が実行される。一方、特定部１１２が端末装置２から終了通知情報を受信したと判定すると（ステップＳ１１２：Ｙｅｓ）、レイアウト情報更新処理が終了する。
【００５９】
また、指示情報生成部１１４は、前述のステップＳ１１２において、端末装置２から登録指令情報を受信していないと判定すると（ステップＳ１０２：Ｎｏ）、端末装置２から削除指令情報を受信したか否かを判定する（ステップＳ１１３）。指示情報生成部１１４が端末装置２から削除指令情報を受信していないと判定すると（ステップＳ１１３：Ｎｏ）、再びステップＳ１０２の処理が実行される。一方、指示情報生成部１１４は、端末装置２から削除指令情報を受信したと判定すると（ステップＳ１１３：Ｙｅｓ）、図２３に示すように、選択部１１１により選択された部屋識別情報に対応付けられた電気機器４を、ネットワークＮＴから切断する操作を行うようユーザに指示するための切断指示情報を生成する（ステップＳ１１４）。続いて、指示情報送信部１１５は、生成された切断指示情報を端末装置２へ送信する（ステップＳ１１５）。その後、ネットワークアドレス割当て部１１７は、レイアウト情報記憶部１３１が記憶する機器情報の中から、選択部１１１により選択された部屋識別情報に対応づけられた機器情報を特定し、特定した機器情報に対応する電気機器４へ応答要求情報を送信する（ステップＳ１１６）。ここで、計時部１１８は、ネットワークアドレス割当て部１１７が、応答要求情報を送信した直後から経過時間の計時を開始する。そして、ネットワークアドレス割当て部１１７は、応答要求情報を送信した直後からの経過時間が予め設定された基準時間に達しても電気機器４から応答情報を受信しない場合、再度応答要求情報を電気機器４へ送信する。応答要求情報は、例えば電気機器４に付与されたネットワークアドレスを宛先とするＰＩＮＧコマンド情報である。
【００６０】
次に、特定部１１２は、応答要求情報に対応する応答情報を送信しない電気機器を、通信可能な状態から通信不可能な状態へ変化した電気機器４として特定する（ステップＳ１１７）。ここで、特定部１１２は、ネットワークアドレス割当て部１１７が応答要求情報を予め定められた基準回数だけ繰り返しても応答情報を送信しない電気機器を、応答情報を送信しない電気機器として特定する。続いて、更新部１１３は、特定部１１２により特定された、通信可能な状態から通信不可能な状態へ変化した電気機器４の機器情報をレイアウト情報記憶部１３１から削除する（ステップＳ１１８）。その後、更新部１１３は、レイアウト情報記憶部１３１から削除された電気機器４の機器情報を端末装置２へ送信する（ステップＳ１１９）。このとき、端末装置２は、受信した機器情報に対応づけられたマーク画像を特定し、特定したマーク画像の表示を変更する。
【００６１】
次に、特定部１１２は、端末装置２から終了通知情報を受信したか否かを判定する（ステップＳ１２０）。特定部１１２が、端末装置２から終了通知情報を受信していないと判定すると（ステップＳ１２０：Ｎｏ）、再びステップＳ１１６の処理が実行される。一方、特定部１１２が、終了通知情報を受信したと判定すると（ステップＳ１２０：Ｙｅｓ）、レイアウト情報更新処理が終了する。
【００６２】
以上説明したように、本実施の形態に係るレイアウト情報管理装置１によれば、選択部１１１が、レイアウト情報記憶部１３１が記憶する部屋識別情報の中から部屋識別情報を選択する。また、特定部１１２が、選択部１１１により部屋識別情報が選択された状態で、ネットワークＮＴを介した通信状態が変化した電気機器４を特定する。そして、更新部１１３が、特定部１１２により特定された、通信不可能な状態から通信可能な状態へ変化した電気機器の機器情報を、選択部１１１により選択された部屋識別情報に対応づけてレイアウト情報記憶部１３１に記憶させる形でレイアウト情報記憶部１３１が記憶する機器情報を更新する。また、更新部１１３は、選択部１１１により選択された部屋識別情報に対応づけられた機器情報のうち、特定部１１２により特定された、通信可能な状態から通信不可能な状態へ変化した電気機器４の機器情報をレイアウト情報記憶部１３１から削除する形でレイアウト情報記憶部１３１が記憶する機器情報を更新する。これにより、住居Ｈ内におけるレイアウト情報を更新する対象である部屋の部屋識別情報が選択された状態で、ネットワークＮＴと電気機器４とを接続したり切断したりする操作を行うだけで、対象である部屋の部屋識別情報に対応づけられたレイアウト情報を更新することができるので、ユーザの負担を軽減できる。
【００６３】
また、本実施の形態に係るレイアウト情報管理装置１では、指示情報生成部１１４が、前述の接続指示情報、または、前述の切断指令情報を生成する。そして、端末装置２のメッセージ通知部２１５が、レイアウト情報管理装置１から接続指示情報を受信すると、前述の電気機器４をネットワークＮＴに接続する操作を行うようユーザに促す第１メッセージ情報をユーザに通知し、切断指示情報を受信すると、前述の電気機器４をネットワークＮＴから切断する操作を行うようユーザに促す第２メッセージ情報をユーザに通知する。これにより、ユーザは、第１メッセージ情報または第２メッセージ情報に従って操作を行うだけで、住居Ｈ内における電気機器４のレイアウト情報を更新することができる。従って、ユーザがレイアウト情報の更新を行う際のユーザの負担が軽減される。
【００６４】
以上、本発明の実施の形態について説明したが、本発明は前述の各実施の形態によって限定されるものではない。例えば、レイアウト情報管理装置１が、電気機器４からアドレス要求情報を受信したときに、受信したアドレス要求情報に含まれるＭＡＣアドレス情報を機器情報としてレイアウト情報記憶部１３１に記憶させるものであってもよい。例えば図２４に示すように、本変形例に係るレイアウト情報管理装置２００１は、実施の形態で説明したレイアウト情報管理装置１と同様のハードウェア構成を有する。但し、レイアウト情報管理装置２００１は、電気機器４から受信したアドレス要求情報から、アドレス要求情報に含まれるＭＡＣアドレス情報を抽出する抽出部２１１６を備える点で、実施の形態に係るレイアウト情報管理装置１と相違する。なお、図２４において、実施の形態と同様の構成については図２と同一の符号を付している。
【００６５】
本変形例に係るレイアウト情報管理システムでは、例えば図２５に示すように、ステップＳ６からＳ１５までの一連の処理が実行されることにより、端末装置２が、選択された部屋に配置された電気機器４をネットワークＮＴに接続する操作を行うようユーザに促す第１メッセージ情報を表示する（ステップＳ１５）。なお、図２５において、実施の形態と同様の処理については、図７および図１３と同一の符号を付している。ここで、ユーザが、電気機器４をネットワークＮＴに接続する操作を行ったとする。この場合、レイアウト情報管理装置２００１に対してアドレス情報の割り当てを要求するアドレス要求情報が、電気機器４からレイアウト情報管理装置２００１へ送信される（ステップＳ１６）。このアドレス要求情報には、送信元の電気機器４のＭＡＣアドレス情報が含まれている。
【００６６】
次に、レイアウト情報管理装置２００１は、電気機器４に割り当てるネットワークアドレスを示すアドレス情報を生成する（ステップＳ１７）。続いて、生成されたアドレス情報のみが、レイアウト情報管理装置１から電気機器４へ送信される（ステップＳ２００１）。その後、レイアウト情報管理装置２００１は、受信したアドレス要求情報からＭＡＣアドレス情報を抽出する（ステップＳ２００２）。次に、レイアウト情報管理装置２００１は、抽出したＭＡＣアドレス情報を、選択された部屋識別情報に対応づけてレイアウト情報記憶部１３１に記憶させる（ステップＳ２００３）。続いて、レイアウト情報管理装置２００１は、抽出したＭＡＣアドレス情報を端末装置２へ送信する（ステップＳ２００４）。一方、端末装置２は、ＭＡＣアドレス情報を受信すると、受信したＭＡＣアドレス情報と部屋識別情報とに基づいて、マーク画像記憶部２３１から間取り画像ＧＡＨにおける部屋Ｒ１に対応する位置に表示されるべきマーク画像を特定する（ステップＳ２００５）。その後、ステップＳ２３以降の処理が実行される。
【００６７】
ここで、本変形例に係るレイアウト情報管理装置２００１が実行するレイアウト情報更新処理について図２６を参照しながら説明する。なお、図２６において、実施の形態と同様の処理については、図７および図１４と同一の符号を付している。このレイアウト情報更新処理は、実施の形態と同様に、間取り情報記憶部１３３に住居Ｈ内における部屋Ｒ１、Ｒ２、Ｒ３、Ｒ４、Ｒ５の配置を示す間取り情報が記憶された状態で、レイアウト情報を更新する部屋を識別する部屋識別情報を、端末装置２から受信したことを契機として開始される。
【００６８】
まず、ステップＳ１０１からＳ１０７までの一連の処理が実行される。次に、抽出部２１１６は、電気機器４から受信したアドレス要求情報に含まれるＭＡＣアドレス情報を抽出する（ステップＳ２０１）。続いて、更新部１１３は、抽出部２１１６が抽出した電気機器４のＭＡＣアドレス情報を、選択部１１１が選択した部屋識別情報に対応づけてレイアウト情報記憶部１３１に記憶させる（ステップＳ２０２）。その後、更新部１１３は、抽出部２１１６が抽出した電気機器４のＭＡＣアドレス情報を、端末装置２へ送信する（ステップＳ２０３）。その後、再びステップＳ１０５以降の処理が実行される。
【００６９】
本構成によれば、レイアウト情報管理装置２００１が、電気機器４から受信したネットワーク割当て要求に含まれるＭＡＣアドレス情報を抽出して、抽出したＭＡＣアドレス情報を、部屋識別情報に対応づけてレイアウト情報記憶部１３１に記憶させる。これにより、レイアウト情報管理装置２００１は、ネットワークアドレスを割り当てた電気機器４に対して機器要求情報を送信することなく電気機器４のＭＡＣアドレス情報を取得することができる。従って、電気機器４のＭＡＣアドレス情報を取得するまでに要する時間を短縮することができる。
【００７０】
実施の形態では、レイアウト情報管理装置１が端末装置２と別体である例について説明したが、これに限らず、例えば端末装置２が、レイアウト情報管理装置１の機能を全て有するものであってもよい。この場合、端末装置２は、例えば無線ＬＡＮを介して各電気機器４と通信可能とすればよい。また、レイアウト情報管理装置１が、端末装置２の受付部２１１、表示制御部２１３、メッセージ通知部２１５および操作画面生成部２１４の機能を有するものでもよい。或いは、端末装置２が、レイアウト情報管理装置１の選択部１１１、特定部１１２、更新部１１３、指示情報生成部１１４、指示情報送信部１１５、機器情報取得部１１６、ネットワークアドレス割当て部１１７および計時部１１８のうちの少なくとも１つの機能を有するものであってもよい。
【００７１】
また、本発明に係るレイアウト情報管理装置１、２００１および端末装置２の各種機能は、ソフトウェア、ファームウェア、またはソフトウェアとファームウェアとの組み合わせにより実現されてもよい。この場合、ソフトウェアまたはファームウェアは、プログラムとして記述され、補助記憶部１０３および２０３に記憶される。また、本発明に係るレイアウト情報管理装置１および端末装置２の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行するレイアウト情報管理装置１、２００１および端末装置２を構成してもよい。
【００７２】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行するレイアウト情報管理装置１および端末装置２として機能する。
【産業上の利用可能性】
【００７３】
本発明は、住居、ビル等の建物内においてエネルギマネジメントシステムを構築する複数の電気機器のレイアウト情報の生成に好適である。
【符号の説明】
【００７４】
１,２００１  レイアウト情報管理装置、２  端末装置、４，４Ａ，４Ｂ，４Ｃ，４Ｄ，４Ｅ，４Ｆ，４Ｇ，４Ｈ  電気機器、１０１,２０１  ＣＰＵ、１０２,２０２  主記憶部、１０３,２０３  補助記憶部、１０６  ネットワーク通信部、１０７  端末通信部、１０９,２０９  バス、１１１  選択部、１１２  特定部、１１３  更新部、１１４  指示情報生成部、１１５  指示情報送信部、１１６  機器情報取得部、１１７  ネットワークアドレス割当て部、１１８  計時部、１２１  更新対象記憶部、１３１  レイアウト情報記憶部、１３２,２３４  ネットワークアドレス記憶部、１３３  間取り情報記憶部、２０４  入力部、２０４ａ  タッチパッド、２０５  表示部、２０５ａ  ディスプレイ、２０６  通信部、２１１  受付部、２１２  送信部、２１３  表示制御部、２１４  操作画面生成部、２１５  メッセージ通知部、２２１  入力情報記憶部、２３１  マーク画像記憶部、２３２  メッセージ記憶部、２３３  間取り情報記憶部、Ａ１,Ａ２,Ａ３,Ａ４,Ａ５,Ａ１０  領域、ＢＵ１,ＢＵ２,ＢＵ３,ＢＵ４,ＢＵ５,ＢＵ１２,ＢＵ１３,ＢＵ１４  キー画像、Ｆ  指、ＧＡ１,ＧＡ２,ＧＡ３,ＧＡ４  マーク画像、ＧＡＨ  間取り画像、Ｈ  住居、Ｍ１  第１メッセージ情報、Ｍ２  第２メッセージ情報、ＮＴ  ネットワーク、ＰＭ１  プルダウンメニュー画像、ＰＭ２,ＰＭ４  ウィンドウ画像。
【図１】
2020198527.tif 000003
【図２】
2020198527.tif 000004
【図３】
2020198527.tif 000005
【図４】
2020198527.tif 000006
【図５】
2020198527.tif 000007
【図６】
2020198527.tif 000008
【図７】
2020198527.tif 000009
【図８】
2020198527.tif 000010
【図９】
2020198527.tif 000011
【図１０】
2020198527.tif 000012
【図１１】
2020198527.tif 000013
【図１２】
2020198527.tif 000014
【図１３】
2020198527.tif 000015
【図１４】
2020198527.tif 000016
【図１５】
2020198527.tif 000017
【図１６】
2020198527.tif 000018
【図１７】
2020198527.tif 000019
【図１８】
2020198527.tif 000020
【図１９】
2020198527.tif 000021
【図２０】
2020198527.tif 000022
【図２１】
2020198527.tif 000023
【図２２】
2020198527.tif 000024
【図２３】
2020198527.tif 000025
【図２４】
2020198527.tif 000026
【図２５】
2020198527.tif 000027
【図２６】
2020198527.tif 000028